(57)【要約】【課題】温水暖房装置において、温水循環手段の循環量は一般に固定であり、設置時に容易に循環流量を調節することができることを目的とするものである。【解決手段】バーナ部２と、前記バーナ部２の燃焼により発生する燃焼熱で温水を加熱する為の温水熱交換器３と、前記温水熱交換器３に連接し温水を循環する温水循環手段５と、前記温水循環手段５を制御する循環流量制御部１０と、本体とは別設のリモコン８を備え、前記リモコン８より前記循環流量制御部１０を指示する構成とした温水暖房装置。【選択図】　図１
2004044960.tif 000002
【特許請求の範囲】
【請求項１】
バーナ部と、前記バーナ部の燃焼により発生する燃焼熱で温水を加熱する為の温水熱交換器と、前記温水熱交換器に連接し温水を循環する温水循環手段と、前記温水循環手段を制御する循環流量制御部と、本体とは別設のリモコンを備え、前記リモコンより前記循環流量制御部を指示する構成とした温水暖房装置。
【請求項２】
試運転動作を指示する試運転指示部と、前記試運転指示部からの指示により循環流量制御部に対して温水循環手段が試運転専用の能力で駆動するように指示を行う試運転判定部を備えた請求項１記載の温水暖房装置。
【請求項３】
温水循環手段はモータを備え、循環流量制御部は前期モータの回転数を検出する回転数検出部を備え、前記回転数検出部により検出した回転数をもとに前記モータを制御する請求項１または２記載の温水暖房装置。
【請求項４】
回転数検出部はモータの不動作を検出すると信号を出力し、前記信号を受けてバーナ部の燃焼及び運転を停止する不動作検出部を備えた請求項３記載の温水暖房装置。
【請求項５】
不動作検出部には、モータの不動作を検出すると所定時間温水循環手段の駆動を停止し、所定時関経過後に再度駆動を開始するように循環流量制御部へ指示する不動作復帰制御部を備えた請求項４記載の温水暖房装置。
【請求項６】
不動作復帰制御部による不動作復帰を所定回数実施しても不動作検出部によるモータの不動作検出が行われるとバーナ部の燃焼及び運転を停止する構成とした請求項５記載の温水暖房装置。
【請求項７】
循環流量制御部はモータの駆動の目標回転数を指示する目標回転数設定部を備え、前記目標回転数設定手段により設定した目標回転数と回転数検出部の出力値を比較して、温水循環手段の最適な駆動能力を指示する駆動能力算出部を備えた請求項３から６のいずれか１項記載の温水暖房装置。
【請求項８】
目標回転数変更手段を設け、リモコンからの操作で前記目標回転数変更手段による目標回転数の変更が可能な請求項３から７記載の温水暖房装置。
【請求項９】
循環水の温度を検出する湯温検出部を設け、この湯温検出部で循環水が凍結の恐れがあることを判断すると、温水循環手段を駆動するように循環流量制御部へ指示を行う凍結防止判定部を備えた、請求項１から８記載の温水暖房装置。
【請求項１０】
温水循環手段は、ＤＣ高圧駆動のモータを備えた請求項１から９記載の温水暖房装置。
【発明の詳細な説明】
【０００１】
【発明の属する技術分野】
本発明は温水を用いて暖房を行う、温水暖房装置の制御装置に関するものである。
【０００２】
【従来の技術】
従来の温水暖房装置は、図５に示すように、温水を加熱する熱源機８１と、この熱源機８１により加熱された温水を温水循環手段８２により温水配管８３を介して循環し、室内に設置した放熱機８４により熱交換するように構成されている。そして、前記放熱機８４には運転指示を操作する操作部８５が設けられ、この操作部８４により熱源機から放熱器へ供給する温水の湯温を設定し、熱源機８１はその湯温になるように燃焼量を可変制御する。また、熱源機８１の最大燃焼量及び温水循環手段８２の最大循環量は、放熱器８４で必要とされる熱量の最大値が供給できるように設計されているが、放熱器８４は、システムによって出力が異なっており、出力の異なる温水循環手段８２を、放熱機８４に合わせて選択して取り付けたり、電圧を調節することで最適な温水循環量の供給を行っていた。
【０００３】
【発明が解決しようとする課題】
しかしながら、従来の温水暖房装置は、温水循環手段の循環量は一般に固定であり、放熱機の必要熱量やシステムの設置条件に応じての最大負荷時の条件に合わせて温水循環手段の選別や電圧調整等を行って、システムに最適な循環量を設定している。このため、設置時に現場で容易に循環流量を調節することができず、温水循環手段の選別や電圧調整等といった知識がなくては設置が容易にできないという課題を有するものであった。
【０００４】
本発明は、前記従来の課題を解決するもので、温水暖房装置において、設置時に容易に循環流量を調節することができることを目的とするものである。
【０００５】
【課題を解決するための手段】
前記従来の課題を解決するために、本発明の温水暖房装置は、バーナ部と、前記バーナ部の燃焼により発生する燃焼熱で温水を加熱する為の温水熱交換器と、前記温水熱交換器に連接し温水を循環する温水循環手段と、前記温水循環手段を制御する循環流量制御部と、本体とは別設のリモコンを備え、前記リモコンより前記循環流量制御部を指示する構成としたものである。
【０００６】
これによって、温水暖房装置を設置後に、本体とは別設のリモコンより循環流量制御部を指示する。
【０００７】
【発明の実施の形態】
請求項１に記載の発明はバーナ部と、前記バーナ部の燃焼により発生する燃焼熱で温水を加熱する為の温水熱交換器と、前記温水熱交換器に連接し温水を循環する温水循環手段と、前記温水循環手段を制御する循環流量制御部と、本体とは別設のリモコンを備え、前記リモコンより前記循環流量制御部を指示する構成とした。
【０００８】
そして、温水暖房装置を設置後に、本体とは別設のリモコンより循環流量制御部を指示する。
【０００９】
よって、循環流量制御部からの指示にしたがって、一定した能力で温水循環手段を制御することができる。することができる。
【００１０】
請求項２に記載の発明は試運転動作を指示する試運転指示部と、前記試運転指示部からの指示により循環流量制御部に対して温水循環手段が試運転専用の能力で駆動するように指示を行う試運転判定部を備えた。
【００１１】
そして、試運転指示部により指示することで、装置設置時の試運転に際しての試運転専用能力での温水循環手段の駆動ができる。
【００１２】
よって、試運転時には温水循環手段の揚程能力を上げることができるので、設置状態に関わらず、すばやく温水循環経路に温水を供給することができ、工事性やメンテ性を向上することが出来る。
【００１３】
請求項３に記載の発明は温水循環手段はモータを備え、循環流量制御部は前期モータの回転数を検出する回転数検出部を備え、前記回転数検出部により検出した回転数をもとに前記モータを制御するとする。
【００１４】
そして、モータの回転数を検知してフィードバック制御を行う。
【００１５】
よって、より適切なモータ回転制御が可能となる。
【００１６】
請求項４に記載の発明は回転数検出部はモータの不動作を検出すると信号を出力し、前記信号を受けてバーナ部の燃焼及び運転を停止する不動作検出部を備えた。
【００１７】
そして、モータの不動作を検出して、温水の循環に異常が生じるとバーナ部による温水加熱を停止する。
【００１８】
よって、温水が異常状態で加熱されることを防止することができる。
【００１９】
請求項５に記載の発明は不動作検出部には、モータの不動作を検出すると所定時間温水循環手段の駆動を停止し、所定時関経過後に再度駆動を開始するように循環流量制御部へ指示する不動作復帰制御部を備えた。
【００２０】
そして、不動作復帰制御を行うようにしている為、ゴミ詰まりなどの要因で温水循環手段がロックしたことが原因で温水循環手段が不動作であった場合は、いったん駆動を停止して再び駆動することで、ロックが解除して、再び循環手段を正常に動作させることができる。
【００２１】
よって、不動作の原因のうち、温水循環手段のごみ詰まりなどの要因に関しては、自動的に動作を正常にもどすことができる。
【００２２】
請求項６に記載の発明は不動作復帰制御部による不動作復帰を所定回数実施しても不動作検出部によるモータの不動作検出が行われるとバーナ部の燃焼及び運転を停止する構成とした。
【００２３】
そして、不動作復帰制御を行うようにしている為、ゴミ詰まりなどの要因で温水循環手段がロックしたことが原因で温水循環手段が不動作であった場合は、いったん駆動を停止して再び駆動すること繰り返すことで、自らロックを解除して、再び循環手段を正常に動作させることができ、それでも復帰しない場合はバーナ部の燃焼を停止させる。
【００２４】
よって、温水が循環しない状態で燃焼を続け温水を加熱続けることを防ぎ、安全性を向上させることが出来る。
【００２５】
請求項７に記載の発明は循環流量制御部はモータの駆動の目標回転数を指示する目標回転数設定部を備え、前記目標回転数設定手段により設定した目標回転数と回転数検出部の出力値を比較して、温水循環手段の最適な駆動能力を指示する駆動能力算出部を備えた。
【００２６】
そして、回転数検出部と、目標回転数と回転数検出値を比較して、温水循環手段の最適な駆動能力を指示するようにしている。
【００２７】
よって、電圧変動やコイル温度上昇でモータの能力が変動するような場合であっても、安定した流量を維持することができる。
【００２８】
請求項８に記載の発明は目標回転数変更手段を設け、リモコンからの操作で前記目標回転数変更手段による目標回転数の変更が可能な構成とした。
【００２９】
そして、設置時にリモコンからの操作によってシステムの設置条件に応じた、温水循環手段の駆動目標を設定することができる。
【００３０】
よって、施工性やメンテナンス性が向上する。
【００３１】
請求項９に記載の発明は循環水の温度を検出する、湯温検出部を設けて、この湯温検出部で循環水が凍結の恐れがあることを判断すると、温水循環手段を駆動するように循環流量制御部へ指示を行う、凍結防止判定部を備えた。
【００３２】
そして、温度低下により循環水の凍結の恐れがあることを検知した場合は、強制的に温水循環を行う。
【００３３】
よって、循環水の凍結を予防することができる。
【００３４】
請求項１０に記載の発明は温水循環手段は、ＤＣ高圧駆動のモータを備えた。
【００３５】
そして、ＤＣ高圧駆動のモータによって、高い能力で幅広いレンジでの温水循環が可能になる。
【００３６】
よって、温水循環手段を交換することなく幅広いレンジでの温水循環量の調節が可能となり、更に効率的にモータ駆動ができるため、消費電力を大幅に低減することができる。
【００３７】
【実施例】
以下本発明の実施例について、図面を参照しながら説明する。
【００３８】
まず、図１を用いて本発明の実施例の温水暖房装置の構成を説明する。
【００３９】
１は温水を加熱するための熱源機で、バーナ部２と温水熱交換器３と温水を循環する為の温水循環手段などで構成されている。温水経路は温水パイプ６ａを介して温水循環手段５に送られてこの温水熱交換器３で熱交換され、湯温検出部４と温水パイプ６ｂを介して放熱機７へ送られる。また熱源機１は、リモコン８からの指示により運転の開始・停止を行っている。また、温水循環手段５にはＤＣ高圧駆動モータが備えてある。
【００４０】
図２は本発明の実施例におけるブロック図で、循環流量制御部１０は、循環駆動部１１と、循環駆動能力算出部１２と、温水循環手段５の回転数を検出する回転数検出部１３と、その目標を設定する目標回転数設定部１４から構成され、この循環流量制御部１０からの指示に応じて温水循環手段５を動する。１５は不動作検出部で、１６は不動作復帰制御部である。１９は凍結防止判定部で、湯温検出部４で検出された温度に応じて、循環流量制御部１０へ凍結防止の指示を行う。１７は試運転指示部で、その指示を受けた試運転判定部１８は、目標回転数設定部１４へ試運転用の目標回転数の指示を行う。また、目標回転数変更手段２０は、リモコン８から目標回転数を変更する為の特殊操作を受けて目標回転数設定部１４へ目標回転数の変更指示を与える。
【００４１】
図３、図４は実施例における動作を示すフローチャートで、上記構成を、この図３、図４を参照しながら詳細な説明を行う。
【００４２】
まず、目標回転数変更手段２０は、ステップＳ２８でリモコン８からの目標回転数を変更する為の特殊操作があるかどうかを判断し、操作があった場合にはステップＳ２９で燃焼中の目標回転数を変更してステップＳ３０へ進み、操作がなかった場合はステップＳ３０へ進む。次に、凍結防止判定部１９は、ステップＳ３０で、湯温検出部４で検出された温水温度が凍結検知温度以下であるかどうか判定し、凍結検知温度以下であればステップＳ３１へ進み凍結予防運転の設定を行いステップＳ３４へ進む。また、凍結検知温度より温度が高ければステップＳ３２へ進み温水温度が凍結解除温度以上であるかどうかを判定し、凍結解除温度未満であればステップＳ３４へ進み凍結解除温度以上であればステップＳ３３で凍結防止運転の解除を設定しステップＳ３４へ進む。次に、試運転判定部１８は、ステップＳ３４で、試運転指示部１７からの試運転指示があるかどうかを判断し、試運転指示があれば、ステップＳ３５で循環流量制御部２０の中の目標回転数設定部１４へ試運転用の目標回転数を設定するよう指示し図４のステップＳ４３へ進む。
【００４３】
また、試運転指示がない場合は、ステップＳ３６へ進み、循環流量制御部２０で現在燃焼中であるかどうかを判断し、燃焼中であればステップＳ３７へ進み、目標回転数設定部１４へ燃焼中の目標回転数を設定するよう指示しステップＳ４３へ進む。また、燃焼中でない場合には、循環流量制御部２０で循環ポンプで構成された温水循環手段５（以降循環ポンプと記載）の駆動条件が成立しているかどうかを判断し、駆動中であればステップＳ３９へ進み、駆動中でないならば、ステップＳ４２に進み循環駆動部１１で循環ポンプの停止指示を行う。そして、ステップＳ３９では凍結予防運転指示が行われているかどうかを判断し、凍結予防運転指示が行われていればステップＳ４０で目標回転数設定部１４へ凍結予防運転中の目標回転数を設定するよう指示しステップＳ４３へ進み、凍結防止運転中でなければステップＳ４１で目標回転数設定部１４へ非燃焼中の目標回転数を設定するよう指示しステップＳ４３へ進む。
【００４４】
そしてステップＳ４３では、不動作復帰制御部１６から不動作復帰制御指示が行われているかどうかを判断し、不動作復帰制御中でなければステップＳ４４へ進み、不動作復帰制御中であればステップＳ４６へ進む。ステップＳ４４では、不動作検出部１５で回転数検出部１３で検出された回転数が循環ポンプ不動作判定レベル以下かどうか判断し、不動作判定レベルより高い回転数であればステップＳ３７へ進み、不動作判定レベル以下であればステップＳ４５で不動作計測期間の１回目の計測をスタートさせて、ステップＳ６７へ進む。
【００４５】
またステップＳ４６では、不動作復帰制御部１６において不動作計測の１回目の計測中であるかどうかを判断し、計測中であればステップＳ４７へ、計測中でなければステップＳ５１へ進む。ステップＳ４７では回転数検出部１３で検出された回転数が循環ポンプ不動作判定レベル以下かどうか判断し、不動作判定レベルより高い回転数であればステップＳ５０へ進み不動作復帰制御を終了させてステップＳ６７へ進み、不動作判定レベル以下であればステップＳ４８でステップＳ４５でスタートした計測タイマーが所定時間を経過したかどうかを判断し、経過していなければステップＳ６７へ進み、所定時間を経過していれば、ステップＳ４９で不動作復帰制御部１６からの制御を１回目の循環ポンプ不動作復帰確認の為のＯＦＦ期間に設定し、そのＯＦＦ期間の時間計測をスタートしステップＳ６７へ進む。
【００４６】
次に、ステップＳ５１では、不動作復帰制御部１６において不動作計測の１回目の循環ポンプ復帰確認の為のＯＦＦ期間中であるかどうかを判断し、ＯＦＦ期間中でなければステップＳ５４へ進み、ＯＦＦ期間中であればステップＳ５２で、ＯＦＦ期間が所定時間経過したかどうかを判定し、所定時間経過していなければステップＳ６７へ進み、所定時間経過していればステップＳ５３で不動作復帰制御部１６からの制御を２回目の不動作計測期間に設定し、その期間の時間計測をスタートしステップＳ６７へ進む。
【００４７】
次にステップＳ５４では、不動作復帰制御部１６において不動作計測の２回目の計測中であるかどうかを判断し、計測中であればステップＳ５５へ、計測中でなければステップＳ５９へ進む。ステップＳ５５では回転数検出部１３で検出された回転数が循環ポンプ不動作判定レベル以下かどうか判断し、不動作判定レベルより高い回転数であればステップＳ５８へ進み不動作復帰制御を終了させてステップＳ６７へ進み、不動作判定レベル以下であればステップＳ５６でステップＳ５３でスタートした計測タイマーが所定時間を経過したかどうかを判断し、経過していなければステップＳ６７へ進み、所定時間を経過していれば、ステップＳ５７で不動作復帰制御部１６からの制御を２回目の循環ポンプ復帰の為のＯＦＦ期間に設定し、そのＯＦＦ期間の時間計測をスタートしてステップＳ６７へ進む。次にステップＳ５９では、不動作復帰制御部１６において２回目の循環ポンプ復帰確認の為のＯＦＦ期間中であるかどうかを判断し、ＯＦＦ期間中でなければステップＳ６２へ進み、ＯＦＦ期間中であればステップＳ６０で、ＯＦＦ期間が所定時間経過したかどうかを判定し、所定時間経過していなければステップＳ６７へ進み、所定時間経過していればステップＳ６１で不動作復帰制御部１６からの制御を３回目の不動作計測期間に設定し、その期間の時間計測をスタートしステップＳ６７へ進む。
【００４８】
次にステップＳ６２では、不動作復帰制御部１６において不動作計測の３回目の計測中であるかどうかを判断し、計測中であればステップＳ６３へ、計測中でなければステップＳ６６へ進み、不動作復帰制御を終了させてステップＳ６７へ進む。そしてステップＳ６３では、回転数検出部１３で検出された回転数が循環ポンプ不動作判定レベル以下かどうか判断し、不動作判定レベルより高い回転数であればステップＳ６６へ進み不動作復帰制御を終了させてステップＳ６７へ進み、不動作判定レベル以下であればステップＳ６４でステップＳ６１でスタートした計測タイマーが所定時間を経過したかどうかを判断し、経過していなければステップＳ６７へ進み、所定時間を経過していれば、ステップＳ６５では、不動作検出部１５によって循環ポンプの不動作が確定し、ステップＳ６７へ進む。
【００４９】
次に、ステップＳ６７では、循環流量制御部２０において、不動作検出部１５から不動作確定の指示がされているかどうかを判断し、不動作指示がされていなければステップＳ６９へ進み、不動作指示がされていればステップＳ６８で、駆動能力算出部１２から循環駆動部１１での循環ポンプの駆動を停止する指示を行い、バーナ部２に対しては燃焼を停止する指示を行い、ステップＳ３０へ戻る。また、ステップＳ６９では循環流量制御部２０において、不動作検出部１５から不動作復帰確認の為循環ポンプのＯＦＦ指示がされているかどうかを判断し、ＯＦＦ指示がされていなければ、ステップＳ７１へ進み、ＯＦＦ指示がされていれば、ステップＳ７０で駆動能力算出部１２から循環駆動部１１での循環ポンプの駆動を停止する指示を行い、ステップＳ３０へ戻る。
【００５０】
次にステップＳ７１では、駆動能力算出部１２において、回転数検出部１３で検出された回転数と、目標回転数設定部１４で設定された回転数を比較して、循環ポンプの駆動能力Ｐ１を算出し、次にステップＳ７２では、循環駆動部１１がそのＰ１を受けて循環ポンプの駆動を行い、ステップＳ３０へ戻る。
【００５１】
以上のように、上記実施例により次の効果が得られる。リモコンを用いて、循環流量制御部からの指示にしたがって、一定した能力で温水循環手段を駆動することができる。また、試運転指示がなされた時は、温水循環手段を試運転専用の最大の能力で駆動するように構成し、試運転時には温水循環手段の揚程能力を上げることができるので、設置状態に関わらず、すばやく温水循環経路に温水を供給することができ、工事性やメンテ性を向上することが出来る。温水循環手段がモータで構成されており、その温水循環手段の回転数を検出する回転数検出部を備えて、出力に対するフィードバック制御を行うことができる。また、不動作検出部を設け、回転数検出部によって温水循環手段の不動作を検出して、温水循環手段の不動作であることを検出した場合は、バーナ部の燃焼を停止することで、温水が異常状態で過熱されることを防ぎ、安全性を向上させることができる。また、不動作復帰制御部を設け、不動作検出部で温水循環手段の不動作を検出した場合は、不動作復帰制御を行うようにしている為、ゴミ詰まりなどの要因で温水循環手段がロックしたことが原因で温水循環手段が不動作であった場合は、いったん駆動を停止して再び駆動することで、ロックが解除して、再び循環手段を正常に動作させることができる。さらに、不動作復帰制御部を設け、不動作検出部で温水循環手段の不動作を検出した場合は、不動作復帰制御を行うようにしている為、ゴミ詰まりなどの要因で温水循環手段がロックしたことが原因で温水循環手段が不動作であった場合は、いったん駆動を停止して再び駆動すること繰り返すことで、自らロックを解除して、再び循環手段を正常に動作させることができ、それでも復帰しない場合はバーナ部の燃焼を停止させりので、温水が循環しない状態で燃焼を続け温水を加熱続けることを防ぎ、安全性を向上させることが出来る。
【００５２】
また、回転数検出部と、目標回転数と回転数検出値を比較して、温水循環手段の最適な駆動能力を指示するようにしているため、電圧変動やコイル温度上昇でモータの能力が変動するような場合であっても、安定した流量を維持することが出来る。また、リモコンからの操作によって温水循環手段の駆動の目標回転数の変更が可能であり、設置時などは、リモコンからの操作によってシステムの設置条件に応じた、温水循環手段の駆動目標を設定することができる。また、凍結防止判定部を備え、湯温検出部からの温度低下により循環水の凍結検知を行った場合は、強制的に温水循環を行うことで、循環水の凍結を予防することができる。また、温水循環手段は、ＤＣ高圧駆動のモータから構成しているので、高い能力で幅広いレンジでの温水循環が可能になり、温水循環手段を交換することなく幅広いレンジでの温水循環量の調節が可能であり、施工が簡単であるという効果と、ＤＣ高圧駆動により効率的にモータ駆動ができるため、消費電力を大幅に低減することができという効果がある。
【００５３】
【発明の効果】
以上説明したように、本発明によれば、リモコンを用いて、循環流量制御部からの指示にしたがって、設置時にも容易に循環流量を調節することができる。
【図面の簡単な説明】
【図１】本発明の実施例の温水暖房装置の構成図
【図２】同実施例の制御ブロック図
【図３】同実施例の動作を表す第１のフローチャート
【図４】同実施例の動作を表す第２のフローチャート
【図５】従来の温水暖房装置の構成図
【符号の説明】
２　バーナ部
３　温水熱交換器
４　湯温検出部
５　温水循環手段
８　リモコン
１０　循環流量制御部
１２　駆動能力算出部
１３　回転数検出部
１４　目標回転数設定部
１５　不動作検出部
１６　不動作復帰制御部
１７　試運転指示部
１８　試運転判定部
２０　目標回転数変更手段
【図１】
2004044960.tif 000003
【図２】
2004044960.tif 000004
【図３】
2004044960.tif 000005
【図４】
2004044960.tif 000006
【図５】
2004044960.tif 000007